(57)【要約】【課題】コストがかからず且つ装着の煩わしさもなく、足を運動器本体の溝に手前側から入れるだけで、Ｏ脚を矯正することができると共に脚部をスリム化することができるようにする。【解決手段】樹脂等をもって一体成形してなる軽量の運動器本体２に、足の入るサイズの幅及び深さの溝３、４を平行に設ける。該溝３、４は、その外側の壁３Ａ、４Ａが手前側において略垂直で、奥に行くに従って徐々に内側に傾斜するようにする。また、該溝３、４の先端部分、即ち最奥部分には足裏の踵部分の突き当て部５、６を設ける。【選択図】図１
2010104635.tif 000002
【特許請求の範囲】
【請求項１】
樹脂等からなる運動器本体に、足の入るサイズの幅及び深さの溝を平行に設け、該溝を、その外側の壁が手前側において略垂直で、奥に行くに従って徐々に内側に傾斜するようになし、更に該溝の先端部分に足裏の踵部分の突き当て部を設けてなる脚ひねり運動器。
【請求項２】
運動器本体が、発泡ポリウレタンにより一体成形してなる運動器本体である請求項１記載の脚ひねり運動器。
【請求項３】
前記運動器本体が軽量な発泡ポリウレタンからなる運動器本体である請求項１又は２記載の脚ひねり運動器。
【請求項４】
運動器本体が、合成ゴムにより一体成形してなる運動器本体である請求項１記載の脚ひねり運動器。
【請求項５】
細長い中央の隆起部と、該隆起部の両側に一体的に立ち上がる板状のガイド壁とをもって溝を構成してなる請求項１、２、３又は４記載の脚ひねり運動器。
【請求項６】
溝の外側の壁に装着する、足と該溝の外側の壁との間隙を調整するためのスペーサーを備えてなる請求項１、２、３、４又は５記載の脚ひねり運動器。
【請求項７】
スペーサーが、溝の外側の壁に被さるように逆Ｕ字形をなすと共に内側部分の肉厚が上部から下部にかけて徐々に減少するようになし、更に溝の外側の壁における上下方向の適宜の位置にて固定し得るようになしたスペーサーである請求項６記載の脚ひねり運動器。
【請求項８】
スペーサーが、発泡性素材をもって所要の長さ、幅、高さ及び形状に成形し、その背面を溝の外側の壁の内面に貼着可能となしたスペーサーである請求項６記載の脚ひねり運動器。
【発明の詳細な説明】
【技術分野】
【０００１】
本発明は脚ひねり運動器に関し、更に詳細には、足を投げ出して座るか或いは仰向けに寝た状態において足を運動器本体の溝に手前側から入れるだけで、Ｏ脚を矯正することができると共に脚部をスリム化することができるようになした脚ひねり運動器に係わる。
【背景技術】
【０００２】
Ｏ脚（内反膝）の場合には姿勢が綺麗に見えないだけでなく、体重増加や加齢に伴って変形性膝関節症が発症しやすくなる。このためＯ脚を矯正するための種々の提案がなされている。
【０００３】
例えば、特許文献１では、凹字形に成形して溝部を有する器具本体とし、これを二つ平行に並べて一体化し、夫々の側壁にクランプを装備してなる矯正具が提案されている。該矯正具は、器具本体の溝内に脚部を入れ、該脚部に外側からクランプによって内向きの圧力をかけるものである。
【０００４】
また、特許文献２では、底部で結合された第１の空気袋と第２の空気袋に両方の脚部を入れ、コンプレッサでこれらの空気袋に空気を圧入して膨らませ、両方の脚部をひねるようにした矯正具が提案されている。
【０００５】
【特許文献１】特開平９−１９２１５１号公報
【特許文献２】特開平９−３２２９０７号公報
【発明の開示】
【発明が解決しようとする課題】
【０００６】
上記特許文献１のものは、加圧用クランプを装備するものであり、そしてまた側壁にねじ軸の案内溝を形成したり、クランプのねじ軸の先端に圧力板を揺動自在に取り付ける等の製作上の手間がかかり、よってコストが高くつくことになるものである。また、脚部への装着に手間取ると共に身体の柔軟性の少ない人では自分ひとりで装着することが困難である等の問題点もある。
【０００７】
また、上記特許文献２のものは、二つの空気袋とコンプレッサを必要とし、部品のコストが高くつくという問題点がある。また、コンプレッサを置くためのスペースも必要であると共に電力も必要である。その上持ち運びも不便である。
【０００８】
本発明は上記の点に鑑みなされたものであって、足を入れる溝を設けた運動器本体のみからなり、而も該運動器本体は樹脂等で一体成形することにより、上記特許文献１のものにおけるが如きクランプや、特許文献２のものにおけるが如きコンプレッサ等の部品が不要で且つ電力も不要とし、更に製作が容易で且つ持ち運び易く、加えて、足を入れるだけで運動することができることから、特許文献１、２の如き装着の煩わしさもない脚ひねり運動器を提供しようとするものである。
【課題を解決するための手段】
【０００９】
而して、本発明の要旨とするところは、樹脂等からなる運動器本体に、足の入るサイズの幅及び深さの溝を平行に設け、該溝を、その外側の壁が手前側において略垂直で、奥に行くに従って徐々に内側に傾斜するようになし、更に該溝の先端部分に足裏の踵部分の突き当て部を設けてなる脚ひねり運動器にある。
【００１０】
また、上記構成において、運動器本体は発泡ポリウレタン等の合成樹脂や合成ゴムによる一体成形により軽量な運動器本体とすることが望ましい。しかし、本発明は何らこれに限定されるものではない。
【００１１】
また、上記構成において、細長い中央の隆起部と、該隆起部の両側に一体的に立ち上がる板状のガイド壁とをもって溝を構成するようにしてもよい。
【００１２】
また、上記構成において、溝の外側の壁に装着する、足と該溝の外側の壁との間隙を調整するためのスペーサーを備えるようにしてもよい。そしてまた、そのスペーサーとしては、溝の外側の壁に被さるように逆Ｕ字形をなすと共に内側部分の肉厚が上部から下部にかけて徐々に減少するようになし、更に溝の外側の壁における上下方向の適宜の位置にて固定し得るようになしたスペーサーであることが望ましい。
【００１３】
また、スペーサーとしては、上記の他に、発泡性素材をもって所要の長さ、幅、高さ及び形状に成形し、その背面を溝の外側の壁の内面に貼着可能となしたスペーサーであってもよい。
【発明の効果】
【００１４】
本発明は上記の如き構成であり、足を投げ出して座るか或いは仰向けに寝た状態において足を運動器本体の溝に手前側から入れるだけで、Ｏ脚を矯正することができると共に脚部をスリム化することができるものである。即ち、運動する者がその足を運動器本体の溝に手前側から入れると、足が溝内に深く入り込むにつれてその外側が溝の外側の壁によって次第に内側に押し付けられ、足首が内向きにひねられることになる。そして、溝の先端部分に、即ち最奥部分に設けた足裏の踵部分の突き当て部に足裏の踵部分が突き当たると、足は指先が起立した状態において内側に傾斜した状態となる。これにより脚部は全体的に内向きにひねられることになり、Ｏ脚を矯正することができると共に、脚部を内側に締める筋肉（内転筋）をストレッチし、脚部のスリム化をも図ることができるものである。
【００１５】
また、足を入れる溝を設けた運動器本体のみからなり、而も該運動器本体は樹脂等で一体成形するものであるから、上記特許文献１のものにおけるが如きクランプや、特許文献２のものにおけるが如きコンプレッサ等の部品が不要で且つ電力も不要であり、更に製作が容易で且つ持ち運びも容易である。また、作動する部品もないから故障も起こらないものである。加えて、足を入れるだけで運動することができることから、特許文献１、２の如き装着の煩わしさもないものである。
【発明を実施するための最良の形態】
【００１６】
以下、本発明に係る脚ひねり運動器を実施するための最良の形態について、図面を参照して説明する。
【００１７】
図１は本発明の第１実施形態に係る脚ひねり運動器の斜視図、図２は同正面図、図３は同背面図、図４は同左側面図、図５は同平面図、図６は図５中Ａ−Ａ線断面図、図７は図５中Ｂ−Ｂ線断面図、図８は図５中Ｃ−Ｃ線断面図、図９は同底面図、図１０は使用状態の斜視図である。
【００１８】
図中、１は脚ひねり運動器である。また、該脚ひねり運動器１は、樹脂等をもって一体成形してなる軽量の運動器本体２に、足の入るサイズの幅及び深さの溝３、４を平行に設け、該溝３、４を、その外側の壁３Ａ、４Ａが手前側において略垂直で、奥に行くに従って徐々に内側に傾斜するようになし、更に該溝３、４の先端部分に、即ち最奥部分に足裏の踵部分の突き当て部５、６を設けてなるものである。
【００１９】
また、前記運動器本体２は、本実施形態においては発泡ポリウレタンからなり、そしてそのサイズは足のサイズに合わせてＳ、Ｍ、Ｌの三種類としている。しかし、本発明の材質については発泡ポリウレタンに限定されるものではなく、その他の合成樹脂又は合成ゴムその他種々のものが採用可能であること勿論である。
【００２０】
また、前記運動器本体２は、本実施形態においては、細長い中央の隆起部７と、該隆起部７の両側に一体的に立ち上がる板状のガイド壁８、９とをもって溝３、４を構成している。また、その他図中Ｆは運動する者の足を示す。
【００２１】
次に、上記実施形態の作用について説明する。
運動する者がその足Ｆ、Ｆを運動器本体２の溝３、４に手前側から入れると、足Ｆ、Ｆが溝３、４内に深く入り込むにつれてその外側Ｆ′、Ｆ′が溝３、４の外側の壁３Ａ、４Ａによって次第に内側に押し付けられ、足首が内向きにひねられることになる。そして、溝３、４の先端部分に、即ち最奥部分に設けた足裏の踵部分の突き当て部５、６に足裏の踵部分が突き当たると、足Ｆ、Ｆは指先が起立した状態において内側に傾斜した状態となる（図１０参照。）。これにより脚部は全体的に内向きにひねられることになり、Ｏ脚を矯正することができると共に、脚部を内側に締める筋肉（内転勤）をストレッチし、脚部のスリム化をも図ることができるものである。
【００２２】
また、足Ｆ、Ｆを入れる溝３、４を設けた運動器本体２のみからなり、而も該運動器本体２は樹脂等で一体成形するものであるから、上記特許文献１のものにおけるが如きクランプや、特許文献２のものにおけるが如きコンプレッサ等の部品が不要で且つ電力も不要であり、更に製作が容易で且つ持ち運びも容易である。また、作動する部品もないから故障も起こらないものである。加えて、足を入れるだけで運動することができることから、特許文献１、２の如き装着の煩わしさもないものである。
【００２３】
次に、図１１及び図１２に示した本発明の第２実施形態について説明する。
本実施形態は、基本的な構成においては前記第１実施形態と同様である。而して、本実施形態において第１実施形態と異なる点は、溝３、４の外側の壁３Ａ、４Ａに装着する、足Ｆ、Ｆと該溝３、４の外側の壁３Ａ、４Ａとの間隙を調整するためのスペーサー１０、１０を備えてなることにある。これにより、足Ｆ、Ｆのサイズに対してスペーサー１０、１０で対応することが可能となり、前記第１実施形態の如く運動器本体として三種類のサイズのものを用意する必要がなくなるものである。
【００２４】
そしてまた、該スペーサー１０、１０としては、本実施形態にあっては、樹脂からなり、溝３、４の外側の壁３Ａ、４Ａに被さるように逆Ｕ字形をなすと共に内側部分１０Ａの肉厚が上部から下部にかけて徐々に減少するようになし、更に溝３、４の外側の壁３Ａ、４Ａにおける上下方向の適宜の位置にて固定し得るようになしたものを用いている。
【００２５】
また、該スペーサー１０、１０において溝３、４の外側の壁３Ａ、４Ａにおける上下方向の適宜の位置にて固定し得るようになすための手段として、本実施形態においては、スペーサー１０、１０の素材としての樹脂の弾性を利用し、窪みと該窪みに嵌まる突起との係合による手段を採用している。
【００２６】
即ち、本実施形態においては、Ｌサイズに製作してなる運動器本体２における溝３、４の外側の壁３Ａ、４Ａ（板状のガイド壁８、９）の外面側に上下方向に沿って複数の窪み１１、１２を設ける一方、スペーサー１０、１０の外側部分１０Ｂの内面に、前記窪み１１、１２のいずれかに嵌まり込む突起１３を設けてなるものである。また、本実施形態においては、前記窪み１１、１２に至る上下方向の浅い突起ガイド溝１４を設け、スペーサー１０、１０が上下方向へのみ移動するようになしている。
【００２７】
図１２は突起１３が下側の窪み１２に嵌まって係合した状態を示しており、この状態においてはスペーサー１０、１０の内側部分１０Ａにおける上端部側の部分１０ａが溝３、４の外側の壁３Ａ、４Ａの上端部に位置し、したがって、溝３、４の外側の壁３Ａ、４Ａはスペーサー１０、１０の内側部分１０Ａにおける該部分１０ａの肉厚部分だけ内側に張り出している。そして、この場合にはＳサイズの足に対応することができるものである。
【００２８】
また、Ｍサイズの足に対応させる場合には、スペーサー１０を上側に移動させて突起１３を上側の窪み１１に係合させるものである。尚、このときスペーサー１０、１０は弾性を有することから、上側に向けて引っ張ると突起１３が下側の窪み１２から抜け出るときに外側に撓み、そして突起１３が上側の窪み１１の位置に達するとその復元弾性によって該突起１３を上側の窪み１１に嵌まるように押し込むものである。そして、突起１３が上側の窪み１１に係合すると、スペーサー１０の内側部分１０Ａにおける高さ方向の略中央部分１０ｂが溝３、４の外側の壁３Ａ、４Ａの上端部に位置し、したがって、溝３、４の外側の壁３Ａ、４Ａはスペーサー１０、１０の内側部分１０Ａにおける該部分１０ｂの肉厚分だけ内側に張り出すことになるものである。そして、スペーサー１０、１０の内側部分１０Ａにおける該部分１０ｂは部分１０ａより肉厚が少ないから、その分張り出しは少なくなるものである。
【００２９】
また、本実施形態においては窪みとして前記窪み１１、１２の２個としているが、これより多くすることによりスペーサー１０、１０の溝３、４への張り出し量を更に細かく設定することができるようにしてもよい。
【００３０】
また、本実施形態においては窪み１１、１２を運動器本体２側に、突起１３をスペーサ１０、１０側に設けているが、これを逆になしてもよい。
【００３１】
また、上記スペーサー１０、１０に代えて、図１３に示すスペーサー１５を用いるようにしてもよい。該スペーサー１５は、発泡性素材をもって所要の長さ、幅、高さ及び形状に成形し、その背面を運動器本体２における溝３、４の外側の壁３Ａ、４Ａの内面に貼着可能となしたものである。而して、図示した例は、発泡性スポンジをもって長さ５０〜７０ｍｍ、幅３０〜５０ｍｍ、高さ５〜１０ｍｍの平面楕円形の隆起状本体１５Ａを成形し、該平面楕円形の隆起状本体１５Ａの背面に両面粘着テープ１６を貼着すると共に該両面粘着テープ１６に、使用するときに剥がす剥離紙１７を貼着してなるものである。そして、使用するときには、剥離紙１７を剥がし、平面楕円形の隆起状本体１５Ａを溝３、４の外側の壁３Ａ、４Ａの内面に貼着するものである。
【図面の簡単な説明】
【００３２】
【図１】本発明の第１実施形態に係る脚ひねり運動器の斜視図である。
【図２】図１に示した脚ひねり運動器の正面図である。
【図３】図１に示した脚ひねり運動器の背面図である。
【図４】図１に示した脚ひねり運動器の左側面図である。
【図５】図１に示した脚ひねり運動器の平面図である。
【図６】図５中Ａ−Ａ線断面図である。
【図７】図５中Ｂ−Ｂ線断面図である。
【図８】図５中Ｃ−Ｃ線断面図である。
【図９】図１に示した脚ひねり運動器の底面図である。
【図１０】図１に示した脚ひねり運動器の使用状態の斜視図である。
【図１１】本発明の第２実施形態に係る脚ひねり運動器の斜視図である。
【図１２】図１１に示した脚ひねり運動器のスペーサー装着部分の拡大断面図である。
【図１３】スペーサーの他の構成例の斜視図である。
【符号の説明】
【００３３】
１  脚ひねり運動器
２  運動器本体
３、４  溝
３Ａ、４Ａ  溝の外側の壁
５、６  足裏の踵部分の突き当て部
７  細長い中央の隆起部
８、９  板状のガイド溝
１０、１０  スペーサー
１５  スペーサー
【図１】
2010104635.tif 000003
【図２】
2010104635.tif 000004
【図３】
2010104635.tif 000005
【図４】
2010104635.tif 000006
【図５】
2010104635.tif 000007
【図６】
2010104635.tif 000008
【図７】
2010104635.tif 000009
【図８】
2010104635.tif 000010
【図９】
2010104635.tif 000011
【図１０】
2010104635.tif 000012
【図１１】
2010104635.tif 000013
【図１２】
2010104635.tif 000014
【図１３】
2010104635.tif 000015
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
一体成形する運動器本体２に、前後方向に細長い中央の隆起部７と、該隆起部７の両側に立ち上がる板状のガイド壁８、９とをもって足の入るサイズの幅及び深さの溝３、４を二本平行に設け、該溝３、４を、その外側の壁３Ａ、４Ａが手前側において略垂直で、奥に行くに従って徐々に内側に傾斜するようになし、更に該溝３、４の最奥部分に足裏の踵部分の突き当て部５、６を立ち上げて設けてなる脚ひねり運動器。
【請求項２】
容器本体２における溝３、４の外側の壁３Ａ、４Ａに装着する、足と該溝３、４の外側の壁３Ａ、４Ａとの間隙を調整するためのスペーサーを備えてなる請求項１記載の脚ひねり運動器。
【請求項３】
スペーサーが、溝３、４の外側の壁３Ａ、４Ａに被さるように逆Ｕ字形をなすと共に内側部分１０Ａの肉圧が上部から下部にかけて徐々に減少するようになし、更に該溝３、４の外側の壁３Ａ、４Ａにおける上下方向の適宜の位置にて固定し得るようになしたスペーサー１０、１０である請求項２記載の脚ひねり運動器。
【請求項４】
スペーサーが、発泡性素材をもって所要の長さ、幅、高さ及び形状に成形し、その背面を運動器本体２における溝３、４の外側の壁３Ａ、４Ａの内面に貼着可能となしたスペーサー１５、１５である請求項２記載の脚ひねり運動器。
【手続補正２】
【補正対象書類名】明細書
【補正対象項目名】０００９
【補正方法】変更
【補正の内容】
【０００９】
而して、本発明の要旨とするところは、一体成形する運動器本体２に、前後方向に細長い中央の隆起部７と、該隆起部７の両側に立ち上がる板状のガイド壁８、９とをもって足の入るサイズの幅及び深さの溝３、４を二本平行に設け、該溝３、４を、その外側の壁３Ａ、４Ａが手前側において略垂直で、奥に行くに従って徐々に内側に傾斜するようになし、更に該溝３、４の最奥部分に足裏の踵部分の突き当て部５、６を立ち上げて設けてなる脚ひねり運動器にある。
【手続補正３】
【補正対象書類名】明細書
【補正対象項目名】００３３
【補正方法】変更
【補正の内容】
【００３３】
１．脚ひねり運動器
２  運動器本体
３、４  溝
３Ａ、４Ａ  溝の外側の壁
５、６  足裏の踵部分の突き当て部
７  細長い中央の隆起部
８、９  板状のガイド壁
１０、１０  スペーサー
１５  スペーサー